【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
通信システムにおいてリソースを要求するユーザ機器であって、
アップリンクで無線基地局に送信されるデータを一時的に格納するようにされている送信バッファと、
第１のトリガー条件および第２のトリガー条件を格納するようにされているメモリであって、前記第１のトリガー条件が、前記送信バッファに新しいデータが到着することを要求し、前記第２のトリガー条件が、前記送信バッファ内の前記データに関連付けられる値が所定のしきい値を超えることを要求する、前記メモリと、
前記第１のトリガー条件が満たされるかを判定するようにされているプロセッサであって、前記第１のトリガー条件が満たされているとき、前記第２のトリガー条件が満たされるかを判定するようにさらにされている、前記プロセッサと、
前記プロセッサが、前記第２のトリガー条件が満たされると判定した場合、アップリンクリソースを要求するためにスケジューリング要求を前記無線基地局に送信するようにされている送信器と、
を備えている、ユーザ機器。
【請求項２】
前記第１のトリガー条件および前記第２のトリガー条件が、バッファ状態報告の送信をトリガーすることに対して定義され、前記バッファ状態報告がトリガーされると、前記ユーザ機器が前記バッファ状態報告を送信するためのアップリンクリソースが利用可能ではない場合、前記スケジューリング要求の送信がトリガーされる、
請求項１に記載のユーザ機器。
【請求項３】
前記第２のトリガー条件が、
−  前記送信バッファ内のデータ量が前記所定のしきい値を超えること、または、
−  前記データが前記送信バッファ内に存在している時間が前記所定のしきい値を超えること、
を要求する、
請求項１または請求項２に記載のユーザ機器。
【請求項４】
前記第１のトリガー条件が、
−  前記送信バッファが空であるときに前記送信バッファに新しいデータが到着すること、または、
−  前記送信バッファが空でないときに前記送信バッファに新しいデータが到着し、この新しいデータが、前記送信バッファ内にすでに存在しているデータよりも優先順位が高いこと、
を要求し、
前記メモリが、前記プロセッサが前記空の送信バッファに新しいデータが到着したことを判定した時点で、前記第１のトリガー条件が満たされていることをさらに格納するようにされている、
請求項１から請求項３のいずれかに記載のユーザ機器。
【請求項５】
前記ユーザ機器に対して複数の論理チャネルが設定されており、前記ユーザ機器が、論理チャネルごとに１つの送信バッファを備えており、
前記プロセッサが、前記複数の論理チャネルのうちの少なくとも１つのみに対して、好ましくは、低い優先順位のデータに関連付けられている論理チャネルに対して、前記第２のトリガー条件が満たされるかの判定を実行する、
請求項１から請求項４のいずれかに記載のユーザ機器。
【請求項６】
前記ユーザ機器に対して複数の論理チャネルが設定されており、論理チャネルごとに前記ユーザ機器において１つの送信バッファが提供され、
前記プロセッサが、前記複数の論理チャネルがグループ化されている複数の異なる論理チャネルグループのうちの少なくとも１つに対してのみ、好ましくは、低い優先順位のデータに関連付けられている論理チャネルグループに対して、前記第２のトリガー条件が満たされるかの判定を実行し、
前記プロセッサが、前記論理チャネルグループの前記論理チャネルの前記送信バッファ内のデータの合計を計算するようにされており、前記計算されたデータの合計が前記所定のしきい値を超えるときを判定するようにされている、
請求項１から請求項４のいずれかに記載のユーザ機器。
【請求項７】
前記送信器が、アップリンク制御チャネルのリソースにおいて、またはランダムアクセス手順を介して、前記スケジューリング要求を前記無線基地局に送信するようにされている、
請求項１から請求項６のいずれかに記載のユーザ機器。
【請求項８】
前記プロセッサが、好ましくは、格納されているトラフィック履歴データに基づいて、前記所定のしきい値をあらかじめ決定するようにされており、前記送信器が、好ましくは、前記あらかじめ決定されたしきい値を前記無線基地局に送信するようにされている、または、
前記送信器が、格納されているトラフィック履歴データを、前記所定のしきい値をあらかじめ決定するネットワークエンティティに送信するようにされており、前記ユーザ機器の受信器が、前記ネットワークエンティティから、前記あらかじめ決定されたしきい値を受信するようにされている、
請求項１から請求項７のいずれかに記載のユーザ機器。
【請求項９】
前記無線基地局によって前記ユーザ機器に割り当てられたアップリンクリソースに関する情報を含むアップリンクグラントメッセージを、前記無線基地局から受信するようにされている受信器、
を備えており、
前記送信器が、バッファ状態報告と、オプションとして、前記送信バッファ内のデータの少なくとも一部とを、前記アップリンクグラントメッセージに含まれている前記割り当てられたアップリンクリソースを使用して、前記無線基地局に送信するようにされている、
請求項１から請求項８のいずれかに記載のユーザ機器。
【請求項１０】
ダウンリンク制御チャネルを監視するようにされている監視回路であって、前記スケジューリング要求を前記無線基地局に送信してから所定の時間の後に前記ダウンリンク制御チャネルの監視を開始する、前記監視回路、
を備えており、
好ましくは、前記監視回路が、前記ユーザ機器が前記ダウンリンク制御チャネルを介してアップリンクグラントメッセージを受信するまで、または、前記スケジューリング要求を送信してから第２の所定の時間が経過するまで、前記ダウンリンク制御チャネルを監視するようにされている、
請求項１から請求項９のいずれかに記載のユーザ機器。
【請求項１１】
前記送信器が、データを前記無線基地局に送信するようにされており、前記データを前記無線基地局に送信した後、前記無線基地局からの肯定応答メッセージまたは否定応答メッセージがないかダウンリンクフィードバックチャネルを監視するようにされている監視回路、を前記ユーザ機器が備えており、
前記データを前記無線基地局に送信した後、前記監視回路が、前記無線基地局からの再送信要求メッセージがないかダウンリンク制御チャネルを監視するようにさらにされており、前記再送信要求メッセージが、前記データを再送信するように前記ユーザ機器に要求し、
前記ダウンリンク制御チャネルを受信することなく前記ダウンリンクフィードバックチャネルを介して肯定応答メッセージを受信したときに、前記監視回路が前記ダウンリンク制御チャネルの監視を停止するようにされている、
請求項１から請求項１０のいずれかに記載のユーザ機器。
【請求項１２】
アップリンク制御チャネルに関連付けられる周期的リソースが、前記ユーザ機器に割り当てられており、スケジューリング要求を前記無線基地局に送信するために使用可能であり、
アップリンク制御チャネルに関連付けられる前記周期的リソースそれぞれに、要求される優先順位が割り当てられ、トリガーされるスケジューリング要求には、前記スケジューリング要求の送信をトリガーしたデータの優先順位に一致するスケジューリング要求の優先順位が割り当てられ、好ましくは、前記データの前記優先順位が、前記データに関連付けられる前記論理チャネルの優先順位に一致し、
前記周期的リソースそれぞれが、前記周期的リソースの前記要求される優先順位に等しいかまたはそれより高い前記スケジューリング要求の優先順位を有するスケジューリング要求を送信するためにのみ使用可能である、
請求項１から請求項１１のいずれかに記載のユーザ機器。
【請求項１３】
前記プロセッサが、前記スケジューリング要求の優先順位が前記アップリンク制御チャネルの前記周期的リソースの前記要求される優先順位に等しいかまたはそれより高いかを判定するようにさらにされており、
前記スケジューリング要求の優先順位が前記周期的リソースの前記要求される優先順位に等しいかまたはそれより高いと判定される場合、そのリソースを使用して前記スケジューリング要求を送信し、
前記スケジューリング要求の優先順位が前記周期的リソースの前記要求される優先順位より低いと判定される場合、前記プロセッサが、前記スケジューリング要求の優先順位が前記アップリンク制御チャネルの次の周期的リソースの前記要求される優先順位に等しいかまたはそれより高いかを判定するようにされている、
請求項１２に記載のユーザ機器。
【請求項１４】
少なくとも第１のスケジューリング要求サイクルおよび第２のスケジューリング要求サイクルが、前記アップリンク制御チャネルの前記周期的リソースにおいて定義され、前記アップリンク制御チャネルのｎ番目ごとの周期的リソースが前記第１のスケジューリング要求サイクルに関連付けられ、前記アップリンク制御チャネルのｍ番目ごとの周期的リソースが前記第２のスケジューリング要求サイクルに関連付けられ、ｍ≠ｎであり、
前記第１のスケジューリング要求サイクルに第１の要求される優先順位が割り当てられ、前記第２のスケジューリング要求サイクルに第２の要求される優先順位が割り当てられる、
請求項１２または請求項１３に記載のユーザ機器。
【請求項１５】
前記ユーザ機器と前記基地局との間で、プライマリキャリアおよびセカンダリキャリアを有するキャリアアグリゲーションが使用され、前記プライマリキャリアの周期的リソースおよび前記セカンダリキャリアの周期的リソースが前記ユーザ機器に割り当てられ、スケジューリング要求を前記無線基地局に送信するために前記ユーザ機器によって使用可能であり、
前記プライマリキャリアの前記周期的リソースが、第１の種類のデータによってトリガーされるスケジューリング要求を送信するために使用され、前記セカンダリキャリアの前記周期的リソースが、第２の種類のデータによってトリガーされるスケジューリング要求を送信するために使用される、
請求項１から請求項１１のいずれかに記載のユーザ機器。
【請求項１６】
前記第１の種類のデータが、前記プライマリキャリアの前記周期的リソースの所定の優先順位しきい値を超える優先順位を有するデータであり、前記第２の種類のデータが、前記所定の優先順位しきい値に等しいかまたはそれより低い優先順位を有するデータである、または、
前記第１の種類のデータが制御プレーンデータであり、前記第２の種類のデータがユーザプレーンデータである、
請求項１５に記載のユーザ機器。
【請求項１７】
通信システムにおいてユーザ機器によってリソースを要求する方法であって、前記ユーザ機器が、アップリンクで無線基地局に送信されるデータを一時的に格納するための送信バッファを備えており、第１のトリガー条件および第２のトリガー条件が定義され、前記第１のトリガー条件が、前記送信バッファに新しいデータが到着することを要求し、前記第２のトリガー条件が、前記送信バッファ内の前記データに関連付けられる値が所定のしきい値を超えることを要求し、前記方法が、
前記第１のトリガー条件が満たされるかを前記ユーザ機器によって判定するステップと、
前記第１のトリガー条件が満たされているとき、前記第２のトリガー条件が満たされるかを前記ユーザ機器によって判定するステップと、
前のステップにおいて前記第２のトリガー条件が満たされると判定される場合、アップリンクリソースを要求するために前記ユーザ機器からスケジューリング要求を前記無線基地局に送信するステップと、
を含んでいる、方法。